(57)【要約】【課題】従来、掲示紙片がレールプレートからずり落ちてしまう心配を払拭できる適切な留め具がなかった。本発明は、ラミネートした紙片はもとより、紙質の薄い厚い、あるいは紙質の強弱、あるいは紙片サイズの大小に係らず、紙片がずり落ちることなく、確かなかたちで支持し掲示し得る留め具を得ることである。【解決手段】本留め具は、レールプレートに取り付くための部分とともに、掲示紙片の抜き穴に対応し、該抜き穴を支持するための部分を有して成るものとした。抜き穴は、１つの基準として、ＪＩＳ−Ｓ６０４１に準拠したパンチでパンチされる抜き穴基準を採用するものとした。以上により、確かな状態で支持し掲示できるものとなった。【選択図】  図１
2016202205.tif 000002
【特許請求の範囲】
【請求項１】
本発明は、レールプレートに値札やチラシなどの紙片を掲示するための留め具であって、留め具自体をレールプレートに据えるための部分とともに、掲示紙片にはパンチ等で開けた抜き穴をもち、該紙片の抜き穴を支持するための部分を有して成る、ことを特徴とする留め具。
【請求項２】
（イ）本留め具は、嵌め付け部（Ａ）と、押え付け部（Ｂ）とを有して成る、
（ロ）嵌め付け部は、留め具自体をレールプレートの上下２線間に据えるための部分である、
押え付け部は、掲示紙片に開けた抜き穴を支持するための部分である、
（ハ）嵌め付け部は、バネ機能をもってレールプレートの２線間に突っ支う、あるいは突っ張る形態で成る、
（ニ）押え付け部は、掲示紙片に開けた抜き穴を支持する形態とともに、掲示紙片を押える機能をもつ、
（ホ）上記の特徴を有して成る請求項１記載の留め具。
【請求項３】
抜き穴を支持する形態として、ＪＩＳ−Ｓ６０４１に準拠した抜き穴を支持する形態を有して成る請求項１、又は２記載の留め具。
【請求項４】
レールプレートと上記留め具との組み合せ。
【発明の詳細な説明】
【技術分野】
【０００１】
商品陳列棚等に取り付けるもので、溝が下に向いた上レールと溝が上に向いた下レールを並行に（対に）張った形態のレールプレートに、値札やチラシなどの紙片を掲示する留め具に関す。
【０００２】
尚、値札やチラシなどの紙片（以下、掲示紙片とも云う）には、パンチ等で開けた抜き穴をもつものとした。
本発明は、該抜き穴を支持する形態（以下、フック機能とも云う）を有して成る留め具である。
【背景技術】
【０００３】
本発明は、従来の留め具（但し、特許文献１のもの）について機能を補強するものである。
【０００４】
特許文献１のものは、その図３０に、紙片を垂れ下げるかたちで支持し掲示する図を示しているが、紙片がずり落ち易く、その図３０に示されたように支持することは困難である。
また、掲示紙片は、プラスチックフィルムをラミネートする場合が多く、その図３１、３２に示されたように、紙片の縁を折り曲げることも困難である。
【０００５】
特許文献２のものは、特許文献１のものを基礎にして、新たに、紙片を挟持する機能をもたせる、としたものであるが、挟持する機能が働くものにすれば、掲示紙片を取り付ける（挟み入れる）ことが困難になる、機能を緩く働くものにすれば、掲示紙片がずり落ちてしまう、と云うジレンマがある。
また、紙片を押し留める機能を実効性のあるものにする、としているが、紙片を押し留めるだけの機能をもって紙片をずり落ちないようにする、と云うことは所詮無理があり、根本的な問題解決になっていない
【０００６】
現時点では、掲示紙片を垂れ下げるかたちで支持し掲示できる適切な留め具がなく、レールプレートが充分に利用できていない実情がある。
【０００７】
然様なことから、本発明は掲示紙片に抜き穴をもつものとし、該抜き穴を支持するものとした。
因みに、本発明は、留め具自体がレールプレートに取り付くかたち、あるいは留め具自体をレールプレートに付け外しするかたちとして、特許文献１の技術を応用するものである。
【先行技術文献】
【特許文献】
【０００８】
【特許文献１】特許第４１０６３８６号
【特許文献２】特許第４５２３９９６号
【発明の概要】
【発明が解決しようとする課題】
【０００９】
本発明では、掲示紙片に抜き穴をもつものとした。依って、本発明の課題はレールプレートに付け外しするための形態とともに、パンチ等で開けた抜き穴を支持するための形態（フック機能）を併せもつ留め具を得ることである。
【課題を解決するための手段】
【００１０】
（イ）本留め具は、嵌め付け部（Ａ）と、押え付け部（Ｂ）とを有して成る、
（ロ）嵌め付け部は、留め具自体をレールプレートの上下２線間に据えるための部分である、
押え付け部は、掲示紙片に開けた抜き穴を支持するための部分である、
（ハ）嵌め付け部は、レールプレートの２線間に突っ支う、あるいは突っ張る形態で成る、
押え付け部は、掲示紙片に開けた抜き穴を支持する形態（フック機能）をもつ、
（ニ）上記の如き特徴を有して成る留め具とした。
【発明の効果】
【００１１】
本発明は、掲示紙片に抜き穴をもつこととし、この抜き穴に対応したフックを有して成る留め具にしたことである。本発明により、ラミネートした紙片に限らず、紙片がずり落ちる心配を払拭するかたちで掲示できるものになった。また、レールプレートに、紙片を掲示する際における「紙片に係るあれこれ」とともに、「掲示手段に係るあれこれ」に惑うことなく、共通手段（紙片には抜き穴をもち、留め具にはフックをもつこと）を以って能率的に作業（紙片を掲示するための業務）ができるものとなった。
【図面の簡単な説明】
【００１２】
【図１】本発明の実施形態を示す図である。
【図２】本発明の実施形態を示す図である。
【図３】本発明の実施形態を示す図である。
【図４】本留め具の使用形態を示す図である。
【図５】本留め具の使用形態を示す図である。
【図６】本留め具の使用形態を示す図である。
【図７】抜き穴を説明する図である。
【発明を実施するための形態】
【００１３】
図１、２、３に示した留め具は、針金を平たく折り曲げて成したものである。
【００１４】
図１に示した留め具は、特許文献１の図２８に示された技術を応用して成したものである。即ち、レールプレートに嵌め付ける（据え付ける）ための嵌め付け部（Ａ）の形態は、特許文献１の技術を応用したものである。その上で、押え付け部（Ｂ）について、掲示紙片に開けた抜き穴を支持するための形態に成したものである。
【００１５】
図２に示した留め具は、図１に示したものについて、抜き穴を支持する部分のかたちを変えたものである。その形状、形態は任意に決めて良いことを説明する図である。
【００１６】
図３に示した留め具は、特許文献１の図２６に示された技術を応用して成したものである。即ち、レールプレートに嵌め付ける（据え付ける）ための嵌め付け部（Ａ）の形態は、特許文献１の技術を応用したものである。その上で、押え付け部（Ｂ）について掲示紙片に開けた１穴の抜き穴を支持するための形態を成したものである。
【００１７】
図１、２、３に示した本留め具の嵌め付け部（Ａ）は、上下に屈伸するバネをもつものである。依って、その丈幅は、レールプレートの上下幅（ｈ：上レールと下レールとの間隔）よりもやや丈長の常態をもつものであるが、いずれの図も上レールと下レールの２線間に収めた状態に於けるかたちをもって示した。
尚、図１、２、３に示した留め具の嵌め付け部（Ａ）は、いずれもジグザグ状に、あるいはＷ字状に、あるいはＶ字状の形態を以ってレールプレートの２線間に突っ張るバネをもったものである。
【００１８】
前記したように、図１、２、３に示した留め具は、平たく折り曲げて成したものである。尚、押え付け部（Ｂ）の上端は、上レールの上方に張り出すかたちをとったものである。
依って、嵌め付け部（Ａ）をレールプレートの２線間に嵌め付けた（据え付けた）とき、押え付け部（Ｂ）の上端部分は上レールの外側に突っ掛かる、即ち、上レールの縁に阻まれ正面手前側に押し退けられることになる、その応力が上レールの縁に押え付くバネとなり、押え付け部（Ｂ）が上レールの縁と押え合う、あるいは挟み合うかたちで掲示紙片を挟み押えるものとなる。
【００１９】
図４、５は、図１に示した留め具を以って抜き穴をもった紙片をレールプレートに掲示した様子を示す図である。
【００２０】
図４は、図７に示した如き２穴の抜き穴をもった紙片を支持し掲示した様子を示した図である。
【００２１】
図５は、１穴の抜き穴をもつ２枚の紙片を支持し掲示した様子を示す図である。
【００２２】
図６は、図１に示した留め具を以って、抜き穴をもたない紙片をレールプレートに掲示した様子を示す図である。即ち、特許文献１のものと同様に、抜き穴をもたない紙片を掲示することもできることを説明した図である。
【００２３】
図７は、ＪＩＳ−Ｓ６０４１に準拠したパンチ（事務用抜き穴器）でパンチ（窄孔）される抜き穴を説明する図である。
紙片の上縁から抜き穴の縁までの間隔（ｂ：奥行き）は、１２±１.０ミリとする、２穴の中心から中心までの間隔（ｄ：抜き穴ピッチ寸法）は、８０±０.５ミリとする、穴の径（ｅ：抜き穴径）は、６±０.５ミリとする、と定められている。
【００２４】
本発明は、１つのかたちとしてＪＩＳ−Ｓ６０４１に準拠した抜き穴を採用するものとした。
【００２５】
紙片に開ける抜き穴について説明する。
ＪＩＳ−Ｓ６０４１に準拠したパンチでパンチされる抜き穴を「１つの基準として採用する」ことを前記した。然しながら、紙片を掲示する分野に於いては、名刺サイズ以下の小紙片もあり、例えば、名刺サイズの場合、上記の抜き穴は必ずしも適当ではない。その理由は、抜き穴ピッチ（ｄ）が大きすぎる、抜き穴の径（ｅ）が大きすぎる、奥行き（ｂ）が深すぎるなどである。
以上のことから、ＪＩＳ−Ｓ６０４１以外の選択肢も求められる。
【００２６】
ＪＩＳ−Ｓ６０４１に準拠した抜き穴は、１つの基準として採用するものであって、本留め具が対象とする抜き穴は、ＪＩＳ−Ｓ６０４１の基準に限るものではない。
因みに、本書で云うＪＩＳ−Ｓ６０４１に準拠した抜き穴とは、該抜き穴に「対応する抜き穴」も含むものとする。「対応する抜き穴」とは、抜き穴の形状、あるいは抜き穴の大小までを「特定するものではなく」あるいは「同じでなければならないとするものではなく」、該基準の抜き穴と重ね合わせたとき、抜き穴の形状、抜き穴の大小に係りなく、通る穴、あるいは通る孔、あるいは通る切れ込みがあれば、その範囲を含むものとする。このことは、抜き穴を支持する形態あるいは形状によって対応し得る範囲となるからである。因みに、本書では穴、あるいは孔、あるいは切れ込みを含めて抜き穴と総称する。
【００２７】
図１、２、３に示した留め具は、それぞれ実施例の一例を示したものである。左右対称の形態を示したが、左右対称である必要はない。
要は、嵌め付け部（Ａ）について云うならば、上下２線のレール間に突っ支う、あるいは突っ張る形態を成していること、そして付け外しができるものであれば良い。バネ機能を以って、上下２線のレール間に突っ支う、あるいは突っ張る形態を成すものであれば更に良い。
押え付け部（Ｂ）について云うならば、紙片に開けた抜き穴を引っ掛け、紙片を下方に引っ張ったとき、留め具がレールプレートから不要に外れない形態を成しているものであれば良い。紙片を押えるためのバネ機能が働くものであれば更に良い。
尚、嵌め付け部のかたち、押え付け部のかたちは、本留め具の機能を損なわない限り任意のデザイン、任意の形態を成すものであって良い。
【００２８】
特許文献１に於いて、その図２６を図２９のかたちにしたように、本留め具に於いても、図１、２、３をアレンジするなどして、抜き穴を支持するかたちを連続してもつのも良い。この場合に於いて、線材を折り曲げて成すものである必要はない。
【００２９】
本留め具は、図で説明したように、レールプレートに対し上向きに据えても、下向きに据えても使用できるものである。留め具について、下端あるいは上端の文言を使用して説明しているのは、ある使用状態を説明する上での表現であって、使用するかたちにより下端を上端、上端を下端と読みかえて良い。
【００３０】
図１、２、３に示した留め具における実施例では、１.６ミリ径の針金（丸線）を使用したが、レールプレートに嵌め付けるものであるから、対象とするレールプレートの上下２線間の間隔、レール（溝）の深さ、レール（溝）の幅などを考慮して決めることが大切である。
【００３１】
図１〜３に示したものは、線材を折り曲げて成した実施例である。必ずしも、線材を折り曲げて成すものが良いわけではないが、物理的な動作あるいは作用を確認する上で実施し易いことから線材を使用した。
線材を折り曲げて成したものは、実際に量産するに於いては、プラスチック製に置き換えることが考えられる。
【００３２】
商品陳列棚のメーカーによっては、紙片しか（厚みの薄いものしか）嵌め付けできないようなレールプレートもある。
留め具は、線材を折り曲げて成すものに限らず、プラスチックを成形して成しても良い、即ち、留め具の形態ならびに使用する材料は、任意に決めて良い。
【００３３】
プラスチックを成形して成す場合は、その機能に適う形態を成せば（置き換えれば）良い。因みに、「置き換える」ということは、線材を折り曲げて成したかたちと同様に作ると云うことではなく、機能として同様のものに置き換えることを意味するものである。
【００３４】
因みに、嵌め付け部の上下に屈伸するバネは、Ｗ字状あるいはＶ字状など横方向に屈伸するかたちで縦方向に屈伸するものに限らず、奥方向、手前方向に湾曲するかたちで縦方向に屈伸するものであっても良い。即ち、線バネでなく板バネ状のバネであっても良く、バネのかたちを限定するものでない。
【００３５】
本留め具は、全体に於いて材料、材質について限定するものではない。尚、必要な機能を損なわない限り、形状、デザイン、大きさなどを任意に決めて良い。
【００３６】
本発明は、全体の図を通して発明の全容を説明しているものであって、個々の図で説明する具体的な技術内容によって、請求項に記載する技術内容は限定されるものではない。
【００３７】
ＪＩＳ−Ｓ６０４１に準拠した抜き穴を採用することによって、本留め具の利用価値、延いてはレールプレートの利用価値を飛躍的に高めるものとなった。後は、レールプレートのＪＩＳ化が待たれるところである。
【産業上の利用可能性】
【００３８】
レールプレートに紙片を掲示する形態として、紙片の上端寄りを支持し、垂れ下がるかたちで掲示する場合に於いて、従来、支持した紙片がずり落ちる心配を払拭する適切な手段がなかった。殊に、ラミネートした紙片については、セロハンテープで貼り付ける以外に適当な掲示手段がなかった。
本留め具は、留め具自体が脱落しない限り、あるいは紙片（抜き穴）が破れない限り、確かなかたちで紙片を支持し得るものである。本留め具による掲示は、紙片をレールプレートの表面に張り付いた状態に、体裁よく掲示することができる。また、掲示するための操作も簡単容易であるなど、実用性の高いものである。販売促進を計る上で、大いに役立つものである。
【００３９】
本留め具は、商品陳列棚等に備え付けられたレールプレートを効果的に利用することにとどまらず、レールプレートを独立させて１つの部材（部品）あるいはモジュールとし、請求項１〜３記載の留め具とセットにして、独立した１つの留め具として利用することも念頭にしているものである。
レールプレートが有効利用できるものとなり、販売促進等に寄与することができる。
【符号の説明】
【００４０】
Ａ    嵌め付け部
Ｂ    押え付け部
Ｄ    レールプレート
Ｅ    掲示紙片
ｈ    上レールと下レールとの間隔
【図１】
2016202205.tif 000003
【図２】
2016202205.tif 000004
【図３】
2016202205.tif 000005
【図４】
2016202205.tif 000006
【図５】
2016202205.tif 000007
【図６】
2016202205.tif 000008
【図７】
2016202205.tif 000009